(57)【要約】【課題】  高価な装置を使用する必要がなく、また除去したゴミ（塵埃）を周囲に拡散することなく、ＡＴＭの清掃を能率的に行うことができるエアードーム型ゴミ浮遊拡散防止袋を提供すること。【解決手段】  ＡＴＭのような被清掃装置２の側面２１に密着して取付け可能で空気注入口１５を備えた方形の中空取付部１１とゴミ４を一時的に収容する袋本体部１２と袋本体部１２の外周囲に固着（貼着）され、両端が方形の中空取付部１１に連通した数本の中空の支柱１４と方形の中空取付部１１の反対側に設けられ、吸引ホースを装着可能なゴミ取出口１３とから成り、空気注入口１５から空気を注入することにより、方形の中空取付部１１と数本の中空の支柱１４を膨らませることができることを特徴とする。【選択図】      図１
2006021125.tif 000002
【特許請求の範囲】
【請求項１】
ＡＴＭのような被清掃装置の側面に密着して取付け可能で空気注入口を備えた方形の中空取付部とゴミを一時的に収容する袋本体部と袋本体部の外周囲に固着（貼着）され、両端が方形の中空取付部に連通した複数本の中空の支柱と方形の中空取付部の反対側に設けられ、吸引ホースを装着可能なゴミ取出口とから成り、空気注入口から空気を注入することにより、方形の中空取付部と複数本の中空の支柱を膨らませることができることを特徴とするエアードーム型ゴミ浮遊拡散防止袋。
【請求項２】
方形の中空取付部と袋本体部と複数本の中空の支柱とはナイロン又はポリエチレン製であり、空気注入口とゴミ取出口はＡＢＳ（塩ビ）製であることを特徴とする請求項１に記載のエアードーム型ゴミ浮遊拡散防止袋。
【請求項３】
方形の中空取付部を被清掃装置の側面に装着して膨らませることにより、被清掃装置の側面に密着するように形成されていることを特徴とする請求項１又は請求項２に記載のエアードーム型ゴミ浮遊拡散防止袋。
【請求項４】
ＡＴＭのような被清掃装置の側面に密着して取付け可能な取付部とゴミを一時的に収容する袋本体部と袋本体部の外周囲に固着（貼着）され、少なくとも一端が空気注入口を備えた橋絡部材に連通した複数本の中空の支柱と取付部の反対側に設けられ、吸引ホースを装着可能なゴミ取出口とから成り、空気注入口から空気を注入することにより、複数本の中空の支柱と橋絡部材とを膨らませることができることを特徴とするエアードーム型ゴミ浮遊拡散防止袋。
【請求項５】
取付部と袋本体部と複数本の中空の支柱とはナイロン又はポリエチレン製であり、ゴミ取出口と空気注入口とはＡＢＳ（塩ビ）製であることを特徴とする請求項４に記載のエアードーム型ゴミ浮遊拡散防止袋。
【請求項６】
取付部に、被清掃装置の側面に吸着する複数の板状磁石と１本のしぼり紐とを備えることを特徴とする請求項４又は請求項５に記載のエアードーム型ゴミ浮遊拡散防止袋。
【請求項７】
取付部に、被清掃装置の側面に粘着テープにより繰返して密着可能なのり代を備えることを特徴とする請求項４又は請求項５に記載のエアードーム型ゴミ浮遊拡散防止袋。
【発明の詳細な説明】
【技術分野】
【０００１】
本発明は、金融機関に設置された現金自動取扱機（以下、ＡＴＭと云う。）の内部に発生するほこり、紙粉等のゴミを清掃する際に使用されるエアードーム型ゴミ浮遊拡散防止袋に関する。
【背景技術】
【０００２】
銀行、郵便局、証券会社等の金融機関に設置されているＡＴＭは、紙幣処理装置、硬貨処理装置、カード処理装置、通帳処理装置等により構成されており、紙幣は装置内をローラやベルト等により高速で搬送され、その間に紙幣の検出、確認等が行われるが、そのために多数のセンサが装備されており、その多くは光学的センサが使用されている。
このように紙幣が高速で搬送処理されるために、搬送中にほこり以外にも紙幣から出る紙粉（以下、これらを塵埃又はゴミと云う。）が発生するが、この塵埃が光学的センサに付着すると、センサ機能を劣化させる。
またこのような塵埃が装置内の電子機器の半導体基板等に付着すると、絶縁不良等の不具合の原因ともなる。
そこで塵埃によるセンサ機能の劣化、半導体基板等の絶縁不良等を防ぐために、定期的に又は必要に応じて、保守員によりＡＴＭ内の清掃を行っている。
【０００３】
このような清掃を行う場合、従来対象部分に空気を噴射して塵埃を吹き飛ばしていたが、これでは吹き飛ばされた塵埃が、他の部分に付着したり、周囲に飛散して周囲環境を悪くしていた。
そこでこれを防ぐために、空気を吸引して負圧を発生する吸引装置と空気を加圧して空気ジェットを噴射する噴射装置と、これらに対してそれぞれホースを介して連結される吸引・噴射ヘッドとを備え、清掃に際して、吸引・噴射ヘッドに対して負圧が常時供給され、
空気ジェットの噴射は任意なタイミングで行うようにした清掃装置が提案されている（特許文献１参照）。
【０００４】
【特許文献１】特開２０００−４２５０４号公報（図１）
【発明の開示】
【発明が解決しようとする課題】
【０００５】
しかしながら上記の装置の場合、清掃する範囲が狭く、吸引・噴射ヘッドの大きさに対応するようなセンサ個々に付着した塵埃を清掃除去するのには効果的であるが、ＡＴＭには多数のセンサが装備されていて、これらの全体を清掃するには能率的ではない。また清掃装置としてはそれぞれが単独で操作される吸引装置と噴射装置を備えたものである必要があり、高価である。
【０００６】
本発明はこのような点に鑑み、高価な装置を使用する必要がなく、また除去した塵埃を周囲に拡散することなく、ＡＴＭの清掃を能率的に行うことができる装置（エアードーム型ゴミ浮遊拡散防止袋）を提供することを目的とする。
【課題を解決するための手段】
【０００７】
上記の目的を達成するために、本発明のエアードーム型ゴミ浮遊拡散防止袋１は、ＡＴＭのような被清掃装置２の側面２１に密着して取付け可能で空気注入口１５を備えた方形の中空取付部１１とゴミ４を一時的に収容する袋本体部１２と袋本体部１２の外周囲に固着（貼着）され、両端が方形の中空取付部１１に連通した複数本の中空の支柱１４と方形の中空取付部１１の反対側に設けられ、吸引ホースを装着可能なゴミ取出口１３とから成り、空気注入口１５から空気を注入することにより、方形の中空取付部１１と複数本の中空の支柱１４を膨らませることができることを特徴とする。
【０００８】
また上記において、方形の中空取付部１１と袋本体部１２と複数本の中空の支柱１４とはナイロン又はポリエチレン製であり、空気注入口１５とゴミ取出口１３はＡＢＳ（塩ビ）製であることを特徴とする。
【０００９】
また上記において、方形の中空取付部１１は、これを被清掃装置２の側面２１に装着して膨らませることにより、被清掃装置２の側面２１に密着するように形成されていることを特徴とする。
【００１０】
さらに上記の目的を達成するために、本発明のエアードーム型ゴミ浮遊拡散防止袋１は、ＡＴＭのような被清掃装置２の側面２１に密着して取付け可能な取付部１１とゴミ４を一時的に収容する袋本体部１２と袋本体部１２の外周囲に固着（貼着）され、少なくとも一端が空気注入口１５を備えた橋絡部材に連通した複数本の中空の支柱１４と取付部１１の反対側に設けられ、吸引ホースを装着可能なゴミ取出口１３とから成り、空気注入口１５から空気を注入することにより、複数本の中空の支柱１４と橋絡部材とを膨らませることができることを特徴とする。
【００１１】
また上記において、取付部１１と袋本体部１２と複数本の中空の支柱１４とはナイロン又はポリエチレン製であり、ゴミ取出口１３と空気注入口１５とはＡＢＳ（塩ビ）製であることを特徴とする。
【００１２】
また上記において、取付部１１に、被清掃装置２の側面２１に吸着する複数の板状磁石１６と１本のしぼり紐１７とを備えることを特徴とする。
【００１３】
また上記において、取付部１１に、被清掃装置２の側面２１に粘着テープ１９により繰返して密着可能なのり代１８を備えることを特徴とする。
【発明の効果】
【００１４】
本発明によれば、高価な装置を使用する必要がなく、また除去した塵埃を周囲に拡散することなく、ＡＴＭの清掃を能率的に行うことができるＡＴＭ清掃用エアードーム型ゴミ浮遊拡散防止袋を提供することができる。
また袋本体部の外周囲に空気の注入により膨らむ複数の中空の支柱を固着（貼着）して、清掃作業の前に、予め空気を注入して袋本体部をある程度膨らませてドーム状に成形しておくことにより、自立させることができる。
【発明を実施するための最良の形態】
【００１５】
本発明を実施するための最良の形態を実施例に基づき図面を参照して説明する。
【実施例１】
【００１６】
図１は、本発明の実施例１に係わるエアードーム型ゴミ浮遊拡散防止袋の使用例を示す概念図であり、図２はエアードーム型ゴミ浮遊拡散防止袋が膨らんだ状態における後面図と前面図である。
図１において、１は本発明のエアードーム型ゴミ浮遊拡散防止袋で、ＡＴＭのような被清掃装置２の側面１１に密着して取付け可能な方形の中空取付部１１と、ゴミ４を一時的に収容する袋本体部１２と、袋本体部１２の外周囲に固着（貼着）され、両端が方形の中空取付部１１に連通した複数本の中空の支柱１４と、方形の中空取付部１１の反対側に設けられ、吸引ホース３４を装着可能なＡＢＳ（塩ビ）製のゴミ取出口１３と、ＡＢＳ（塩ビ）製の空気注入口１５とから成り、方形の中空取付部１１と複数本の中空の支柱１４とは、空気を注入することにより膨らみ、空気を押出すことにより萎むようにナイロン又はポリエチレン製である。
【００１７】
なお方形の中空取付部１１と複数本の中空の支柱１４とは、図において斜線を施して見易いようにされている。これは図３乃至図５においても同様である。
空気注入口１５よりの空気の注入は例えば小型の空気ポンプにより行うことができ、方形の中空取付部１１と中空の支柱１４が膨らみ、これに引きずられて袋本体部１２も膨らんで、図１のように略エアードーム型のゴミ浮遊拡散防止袋を形成する。
【００１８】
２はＡＴＭのような被清掃装置で、清掃時にはＡＴＭ２の前面と後面の扉が外された状態で、まず側面２１にエアードーム型ゴミ浮遊拡散防止袋１の方形の中空取付部１１に空気ポンプによりある程度の空気を注入して側面２１に嵌め、次いでさらに空気ポンプにより空気注入口１５から空気を注入することにより、方形の中空取付部１１と中空の支柱１４がさらに膨らみ、方形の中空取付部１１が側面２１に密着固定される。その後空気注入口１５は栓により密封される。
３は真空掃除機で、空気噴出口と吸引口３１を備えたものであればよく、例えば家庭用電気掃除機を改良して吸引口３１を設けたものでよい。
そして空気噴出口に先端に空気噴出ノズル３３を有する噴出ホース３２が連結され、吸引口３１に吸引ホース３４の一端が、またその他端がエアードーム型ゴミ浮遊拡散防止袋１のゴミ取出口１３に連結される。
【００１９】
清掃時には図１のように装着・連結した状態で、真空掃除機３を動作させ、噴出ホース３２の先端の空気噴出ノズル３３からの噴出空気を、センサのような清掃対象に向けて吹きつけると、センサに付着しているゴミ４は吹き飛ばされて袋本体部１２内に噴出し、これを完全に膨らませてそこに溜まるが、袋本体部１２の奥に設けられているゴミ取出口１３に吸引ホース３４が連結されていることにより、袋本体部１２内に噴出したゴミ４は長く溜まることなくゴミ取出口１３を通して、真空掃除機３に吸引されてその集塵袋に集められることになる。
【００２０】
この場合、エアードーム型ゴミ浮遊拡散防止袋１があることにより、ＡＴＭ２から噴出したゴミ４が周囲に拡散して周囲環境を悪くすることがない。
また噴出ホース３２の先端の空気噴出ノズル３３を手早くＡＴＭ２の各部分に順に向けて空気を吹きつけることにより、全体の清掃を能率的に行うことができる。
清掃を終えるに当たっては、空気注入口１５の栓を外して内部の空気を排出することにより、ＡＴＭ２の側面２１よりエアードーム型ゴミ浮遊拡散防止袋１を外すことができ、ＡＴＭ２の前面と後面に扉を取付けることにより、清掃を終了する。このエアードーム型ゴミ浮遊拡散防止袋１は１回毎には廃棄せずに、使用に耐える限り何回でも使用することができる。
【００２１】
方形の中空取付部１１の幅は、ＡＴＭ２の側壁２１の幅にもよるが、いずれにしても空気を吹き込んだ状態でＡＴＭ２の側壁２１に密着固定される必要がある。
中空の支柱１４の断面形状は、円形、楕円形のいずれでもよく、またその寸法も適宜に決められる。
袋本体部１２の直径もＡＴＭ２の側壁２１の寸法に応じてこれより大きめに適宜に決められる。
またＡＢＳ（塩ビ）製のゴミ取出口１３の外形寸法は吸引ホース３４の内径寸法に合わせて、選定される。
【実施例２】
【００２２】
図３は、本発明の実施例２に係わるエアードーム型ゴミ浮遊拡散防止袋の使用例を示す概念図であり、図４はＡＴＭの側面に装着された実施例２のエアードーム型ゴミ浮遊拡散防止袋１の側面の一部断面図である。
図３に示されるように、実施例２のエアードーム型ゴミ浮遊拡散防止袋１は取付部１１の構成が実施例１の場合と異なり、中空状ではなく、薄い板状を成している。そのため袋本体部１２の外周囲への中空の支柱１４の固着態様は実施例の場合と同様であるが、各中空の支柱１４の両端にそれぞれ連通する橋絡部材が配設され、そのいずれかに空気注入口１５が設けられている。この橋絡部材の配設は一方だけでもよい。
【００２３】
図４に示されるように、取付部１１は袋本体部１２と一体であるが、袋本体部１２よりは厚めに形成されており、その外周の数箇所（例えば、側面２１の各辺に相当する位置に２箇所ずつ）には板状の磁石（例えば、ゴム磁石がよいが、これに限らない。）１６と１本のしぼり紐１７が取付けられており、これにより取付部１１をＡＴＭ２の側面２１に取付ける際に、板状の磁石１６により容易に仮取付けすることができ、次いでしぼり紐１７により縛ることにより、取付部１１はＡＴＭ２の側面２１に密着固定される。
従って、取付部１１の幅は板状の磁石１６と１本のしぼり紐１７が取付けられ、且つ板状の磁石１６と１本のしぼり紐１７によりＡＴＭの側壁２１に密着固定できるように適宜に決めることができる。
【００２４】
また取付部１１は後扉が外されたＡＴＭ２の側面２１に密着するように取付けられる必要があるが、そのためには側面２１の外周の長さと取付部１１の内周の長さが略同じであることが望ましいが、取付部１１の内周の長さが側面２１の外周の長さより長い場合であっても、取付部１１の一部を折り曲げて側面２１の外周の長さに合わせるようにすればよい。
使用後はしぼり紐１７を解くことにより、取付部１１をＡＴＭ２の側面２１から外すことができ、次の使用に供することができる。
【実施例３】
【００２５】
図５は取付部について実施例２のものとは異なる構成を備え、ＡＴＭの側面に装着された実施例３のエアードーム型ゴミ浮遊拡散防止袋の側面の一部断面図である。
この場合の取付部１１はＡＴＭ２の側面２１に密着固定するのに、粘着テープ１９を用いている点で、実施例２のものとは異なる。即ち粘着テープ１９の幅の少なくとも半分以上の幅ののり代１８を備えたものがよく、使用した後粘着テープ１９を剥がし、再び次の使用時に新しい粘着テープでＡＴＭ２の側面２１に密着固定できるというように、繰返して使用できるように、のり代１８を含む取付部１１は上記のものよりは厚く構成される。
なお使用時には、粘着テープ１９の幅の約半分をのり代１８に接着し、残りの半分を側面２１に接着することにより、取付部１１は側面２１に密着固定される。
その他については実施例２のものと同様である。
【００２６】
以上のように、本発明のエアードーム型ゴミ浮遊拡散防止袋を空気噴出口と吸引口を備えた真空掃除機とともに用いることにより、除去したゴミを周囲に拡散させることなく能率的に、ＡＴＭの内部を清掃することができる。
【図面の簡単な説明】
【００２７】
【図１】実施例１に係わるエアードーム型ゴミ浮遊拡散防止袋の使用例を示す概念図である。
【図２】エアードーム型ゴミ浮遊拡散防止袋が膨らんだ状態における後面図と前面図である。
【図３】実施例２に係わるエアードーム型ゴミ浮遊拡散防止袋の使用例を示す概念図である。
【図４】ＡＴＭの側面に装着された実施例２のエアードーム型ゴミ浮遊拡散防止袋１の側面の一部断面図である。
【図５】ＡＴＭの側面に装着された実施例３のエアードーム型ゴミ浮遊拡散防止袋の側面の一部断面図である。
【符号の説明】
【００２８】
１：エアードーム型ゴミ浮遊拡散防止袋
１１：取付部
１２：袋本体部
１３：ゴミ取出口
１４：中空支柱
１５：空気注入口
１６：板状磁石
１７：しぼり紐
１８：のり代
１９：粘着テープ
２：ＡＴＭ
２１：側面
３：真空掃除機
３１：吸引口
３２：噴出ホース
３３：空気噴出ノズル
３４：吸引ホース
４：ゴミ
【図１】
2006021125.tif 000003
【図２】
2006021125.tif 000004
【図３】
2006021125.tif 000005
【図４】
2006021125.tif 000006
【図５】
2006021125.tif 000007